(57)【特許請求の範囲】
【請求項１】
チェーン巻上機のホイストチェーンを巻上部材または前記チェーン巻上機に固定し、前記ホイストチェーンは鎖環を含み、該鎖環は隣り合う鎖環同士によって形成される面によって互いの面に対し主として90度の角度で相互に連結されているチェーンシャックルであり、該チェーンシャックルは互いに対して取付可能な２つの同一なシャックル半体を含み、該シャックル半体は該半体および前記ホイストチェーンの長手方向で協働し、これにより該シャックル半体間に前記ホイストチェーンのうち１つの鎖環または鎖環半体用の第１の空間を形成して前記鎖環または前記鎖環半体を巻上げ方向または力に抗して固定し、第１の空間は前記チェーンシャックルの長手方向の第１方向に開口し、さらに、前記シャックル半体は、第１の空間に通じ、第１の鎖環に結合されているか、または前記鎖環半体に結合される前記ホイストチェーンの第２の巻上鎖環用の第２の空間を形成し、第２の空間は、前記ホイストチェーンの両長手方向に開口し、ホイストチェーンの長手方向周りを第１の空間に対して向きが90度変わっているチェーンシャックルにおいて、該チェーンシャックルはさらにスリーブ状のロックナットを含み、該ロックナットの内部に該チェーンシャックルの外形に合致する空間を形成して該チェーンシャックルおよびそのシャックル半体を協働させ、前記ロックナットの外面には、前記ロックナットに対して支持される前記チェーンシャックルを固定部位に固定するねじ山が含まれることを特徴とするチェーンシャックル。
【請求項２】
請求項１に記載のチェーンシャックルにおいて、第１の空間は、各シャックル半体に設けられ第２の空間まで達する凹溝と、カムとを含み、前記溝は前記カムの表面上を延び、これによって、前記溝および前記カムの表面の形状は前記鎖環または前記鎖環半体の外面形状と実質的に合致することを特徴とするチェーンシャックル。
【請求項３】
請求項１に記載のチェーンシャックルにおいて、第２の空間は該チェーンシャックルの両側において、該チェーンシャックルの第１の空間の開口方向に対向する側で、シャックル端部から所定の距離にわたって該チェーンシャックルの両側で部分的に開口していることを特徴とするチェーンシャックル。
【請求項４】
請求項１に記載のチェーンシャックルにおいて、前記シャックル半体同士を組み合わせて回転対称体を形成することを特徴とするチェーンシャックル。
【請求項５】
請求項１に記載のチェーンシャックルにおいて、該チェーンシャックルを固定位置で支持する支持手段が、各シャックル半体の外縁部のうち第１の空間の開口端側の端部に配設されることを特徴とするチェーンシャックル。
【請求項６】
請求項５に記載のチェーンシャックルにおいて、該チェーンシャックルを固定位置で支持する前記支持手段は、前記シャックル半体の外縁部を取り囲むフランジ構造体の形状を成すことを特徴とするチェーンシャックル。
【請求項７】
請求項５に記載のチェーンシャックルにおいて、前記ロックナットは該チェーンシャックルの前記支持手段と協働するように構成されていることを特徴とするチェーンシャックル。
【請求項８】
チェーン巻上機のホイストチェーンを巻上部材または前記チェーン巻上機に固定し、前記ホイストチェーンは鎖環を含み、該鎖環は隣り合う鎖環同士によって形成される面によって互いの面に対し主として90度の角度で相互に連結されているチェーンシャックルであり、該チェーンシャックルは互いに対して取付可能な２つの同一なシャックル半体を含み、該シャックル半体は該半体および前記ホイストチェーンの長手方向で協働し、これにより該シャックル半体間に前記ホイストチェーンのうち１つの鎖環または鎖環半体用の第１の空間を形成して前記鎖環または前記鎖環半体を巻上げ方向または力に抗して固定し、第１の空間は前記チェーンシャックルの長手方向の第１方向に開口し、さらに、前記シャックル半体は、第１の空間に通じ、第１の鎖環に結合されているか、または前記鎖環半体に結合される前記ホイストチェーンの第２の巻上鎖環用の第２の空間を形成し、第２の空間は、前記ホイストチェーンの両長手方向に開口し、ホイストチェーンの長手方向周りを第１の空間に対して向きが90度変わっているチェーンシャックルにおいて、該チェーンシャックルはチェーンの端部から所定の距離を置いた位置で固定されるように構成され、前記シャックル半体を取り囲んでその内表面が該チェーンシャックルの外形に合致するスリーブは、前記シャックル半体を協働させるように配設されることを特徴とするチェーンシャックル。
【請求項９】
請求項８に記載のチェーンシャックルにおいて、弾性材料からなる別のスリーブが第１のスリーブを取り囲むように配設されることを特徴とするチェーンシャックル。
【請求項１０】
請求項８に記載のチェーンシャックルにおいて、第１の空間は、各シャックル半体に設けられ第２の空間まで達する凹溝と、カムとを含み、前記溝は前記カムの表面上を延び、これによって、前記溝および前記カムの表面の形状は前記鎖環または前記鎖環半体の外面形状と実質的に合致することを特徴とするチェーンシャックル。
【請求項１１】
請求項８に記載のチェーンシャックルにおいて、第２の空間は該チェーンシャックルの両側において、該チェーンシャックルの第１の空間の開口方向に対向する側で、シャックル端部から所定の距離にわたって該チェーンシャックルの両側で部分的に開口していることを特徴とするチェーンシャックル。
【請求項１２】
請求項８に記載のチェーンシャックルにおいて、前記シャックル半体同士を組み合わせて回転対称体を形成することを特徴とするチェーンシャックル。
【請求項１３】
請求項８に記載のチェーンシャックルにおいて、該チェーンシャックルを固定位置で支持する手段が、各シャックル半体の外縁部のうち第１の空間の開口端側の端部に配設されることを特徴とするチェーンシャックル。
【請求項１４】
請求項13に記載のチェーンシャックルにおいて、該チェーンシャックルを固定位置で支持する前記手段は、前記シャックル半体の外縁部を取り囲むフランジ構造体の形状を成すことを特徴とするチェーンシャックル。
【発明の詳細な説明】
【発明の背景】
【０００１】
本発明は、チェーン巻上機のホイストチェーンの端部を巻上部材またはチェーン巻上機に固定するチェーンシャックルに関するものである。ホイストチェーンは鎖環を含み、各鎖環は、隣り合う鎖環同士によって形成される面が互いの面に対し主として90度の角度で相互に固定されるものである。
【０００２】
チェーン巻上機では、巻上機の実施形態に応じて、ホイストチェーンの端部を２つの場所で固定する必要がある。一重チェーン式の巻上機では、チェーンシャックルはホイストフックのフックシリンダ内に不可欠である。二重チェーン式の巻上機では、チェーンの端部をチェーン巻上機の枠構造体に固定する必要がある。加えて、ある種の固定部品は、リミットスイッチを形成すべく、および／またはチェーンがチェーン巻上機から完全に送り出されてしまうことを防止すべく、チェーン収納袋に設けられる必要がある。たいていの場合、上述の３ヶ所すべてにそれぞれ固定要素が設けられる。
【０００３】
チェーンをフックシリンダおよびチェーン巻上機の枠構造体に固定する一般的な方法はピンを使用するもので、ピンが鎖環を貫通してピン自体をフックシリンダおよびチェーン巻上機の枠構造体に支持させる。ピン方式における問題点は、ピンは曲げを受ける二重支持型の「梁」であり、非常に大きな径を有するピンを押して鎖環内を通すことができないため、その張力度が高くなることである。さらに、チェーンの交換中にピンを当初の位置とは別の位置にはめ込むこともあり得る。これにより、元々圧縮されていたピンの側部に今度は引張応力がかかるように、ピンに負荷がかかる方向が不利になることがある。とりわけ、圧縮中に鎖環によってピンに切欠きができた場合、ピン方式では危険が生じる。ピン方式において、鎖環とピンの間の表面圧力はその幾何学的形状故に不利益となる。なぜならば、原理上この方式は点接触式だからである。
【０００４】
多くの場合、フックシリンダ内に直接成形されるか、または形状係合によってフックシリンダもしくはチェーン巻上機の枠構造体に固定する独立した部品として成形される形状係合要素を使用してチェーンを固定する。
【発明の概要】
【０００５】
本発明は、主として、チェーンおよびチェーンシャックルにかかる応力を減少させることを目的とする。また本発明は、チェーンの固定に多くの異なる部材が必要となる状況を避けることを別の目的とする。
【０００６】
所定の目的は本発明に係るチェーンシャックルにより達成され、このチェーンシャックルは、互いに対して取付可能な２つの同一なシャックル半体を含み、シャックル半体は半体およびホイストチェーンの長手方向に平行な面上で協働し、これによりシャックル半体間にホイストチェーンのうち１つの鎖環または鎖環半体用の第１の空間を形成して鎖環または鎖環半体を巻上げ方向または力に抗して固定し、第１の空間はチェーンシャックルの長手方向の第１方向に開口し、さらにシャックル半体は、第１の空間に連結され、第１の鎖環に結合されているか、または鎖環半体に結合される第２の巻上鎖環用の第２の空間を形成し、第２の空間はホイストチェーンの両長手方向に開口し、ホイストチェーンの長手方向周りを第１の空間に対して向きが90度変わっていることを特徴とする。
【０００７】
本発明の好適な実施形態を従属請求項に開示する。
【０００８】
本発明の方式によって、例えば、以下の利点が得られる：
−  本発明のチェーンシャックルにより、フックシリンダ構造体をより低い位置に設置できるため、ホイストフックから懸架フックまでの距離測定がより有利となる。
−  チェーンを切って作り出されるホイスト鎖環半体を活用することができる。
−  シャックル半体によって支持点はチェーン鎖環のほぼ真下に導かれるため、荷重を有するホイストチェーンを固定する鎖環半体が受ける曲げ応力は最小限ですむ。
−  新しいチェーンを取り付けている間、鎖環半体が間違った位置に取り付けられることがない。
−  ホイストチェーンと鎖環半体の間でかかる表面圧力（ヘルツ圧）は、断面が円形または楕円形のストレートピンと鎖環の間でかかる表面圧力よりも小さく、それに加えて、鎖環半体とこれに隣接する鎖環の間にかかる表面圧力は、その他すべての環の接点における表面圧力と同じである。
−  チェーンシャックルを必要とするあらゆる場所でチェーンホイストに適用できるので、本発明のチェーンシャックルは多目的に使用できる物となる。
−  チェーンホイストが二重チェーン式の場合、本発明のチェーンシャックルを使用すれば、どちらの方向からチェーンが巻上機から出てきても（横または縦のホイスト環のどちらが先に出ても）問題とはならない。なぜならば、チェーンシャックルは正しい位置に変化し得るからである。ただし、例えば、チェーンの端部を最も端の鎖環を貫通しているピンで固定している場合はこの限りではない。ピン方式においては、位置が間違っている場合には、チェーンを正しい位置に掛け直さなければならない。
−  ２つの同一なシャックル半体を有するチェーンシャックルを１種類だけ使用する場合、大量製造が可能である。すなわち、安価な製造方法を用いて、単価を低く抑えることができることを意味する。
【図面の簡単な説明】
【０００９】
本発明について、いくつかの好適な実施例を用いて、添付の図面を参照しながら詳細に述べる。
【図１ａ】本発明に係るチェーンシャックルのシャックル半体の前面図（チェーンシャックルの内側から見た図）である。
【図１ｂ】図1aによるシャックル半体を下から見た図である。
【図１ｃ】図1aによるシャックル半体を上から見た図である。
【図１ｄ】図1aによるシャックル半体を横から見た図である。
【図１ｅ】図1aによるシャックル半体の断面を示す図である。
【図１ｆ】上記各図に示すシャックル半体の透視図である。
【図１ｇ】シャックル半体間の協働の概要を示す図である。
【図２ａ】図1aおよび図1bに示すシャックル半体の形状を成すチェーンシャックルがホイストフックに連結して使用される、一重チェーン式のチェーン巻上機を示す図である。
【図２ｂ】図2aに示す固定具の分解組立図である。
【図３ａ】図1aおよび図1bに示すシャックル半体の形状を成すチェーンシャックルがホイストチェーンを巻上機の枠構造体に固定する際に使用される、二重チェーン式のチェーン巻上機を示す図である。
【図３ｂ】図3aに示す固定具の分解組立図である。
【図３ｃ】図3aおよび図3bに示すスリーブ状ロックナットを下から見た図である。
【図４ａ】チェーン収納袋内のチェーン端部にある図2aおよび図3aに示すチェーンシャックルをより詳細に示す図である。
【図４ｂ】図4aに示す固定具の分解組立図である。
【発明の詳細な説明】
【００１０】
図面は、本発明に係るチェーンシャックル１を示す。チェーンシャックル１は、チェーン巻上機２、20にあるホイストチェーン３の端部を、図2aおよび図2bによる一重チェーン式巻上機２にあるホイストフック４のフックシリンダ５、図3aおよび図3bによる二重チェーン式巻上機20の枠構造体21、ならびに図2a、図2b、図3aおよび図3bによるチェーン巻上機２、20のチェーン収容袋６、22に固定するものである。本件のホイストチェーン３は複数の鎖環3aを有し、この種の他のチェーンの場合と同様に、各鎖環は、隣り合う鎖環3aに形成される各面で、主として90度の角度で相互に取り付けられている。
【００１１】
特に図1a〜図1fを参照すると、チェーンシャックル１は、互いに対して取付可能な２つの同一なシャックル半体1aを有し、シャックル半体およびホイストチェーン３の長手方向に平行な面上で協働し、これにより、両シャックル半体は両半体間にホイストチェーン３の鎖環3a用または鎖環半体3b用の第１の空間Ａを形成して、鎖環または鎖環半体を巻上げ方向または力に抗して固定する。第１の空間Ａは、チェーンシャックル１の長手方向の第１方向に対して開口している。また、両シャックル半体は、第１の空間Ａとつながり、第１の鎖環3aに結合されているか、または鎖環半体3bに結合されるホイストチェーン３の第２の鎖環3a用の第２の空間Ｂが形成される。本例では、第２の空間Ｂは、ホイストチェーン３の両長手方向に対して開口し、さらに、チェーンシャックル１の両側において、チェーンシャックル１の第１の空間Ａの開口方向と対向する側でシャックル端部から所定の長さにわたって、チェーンシャックル１の両側にわたって部分的に開口している。第２の空間Ｂは、必然的に、ホイストチェーン３の隣り合う鎖環3aの位置に対応するように、上述の長手方向周りを第１空間Ａに対し向きが90度変わっている。
【００１２】
第１の空間Ａは、各シャックル半体1aに設けられ第２の空間Ｂまで達する凹溝1b、およびカム1cを含み、溝1bはカムの表面上に延びている。これによって、溝1bおよびカム1cの表面の形状は鎖環3aまたは鎖環半体3bの外面形状と実質的に合致する。したがって、この構造の本質的事項として、必要に応じて、ホイストチェーン３を、特に図4aおよび図4bに見て取れるように、チェーンシャックル１から両方向の分だけ延ばしてもよい。
【００１３】
適切な方法として、図に示すように、両シャックル半体1aを組み合わせて回転対称体を形成する。
【００１４】
加えて、各シャックル半体1aの外縁部の、第１の空間Ａの開口端側の端部には、チェーンシャックル１を固定位置に支持する手段が設けられている。チェーンシャックルが図に示すような回転対称型である場合、チェーンシャックル１を固定位置に支持する手段は、シャックル半体1aの外縁部を取り囲むフランジ構造体1dであることが最も好ましい。
【００１５】
図2aおよび図2bは、本発明のチェーンシャックル１を用いて、ホイストチェーン３の端部を、一重チェーン式巻上機２にあるホイストフック４の同じ２つの円筒状半体5aによって形成されるフックシリンダ５に固定する様子を示す。鎖環の切断半体3bはホイストチェーン３の端部にて完全な状態のホイスト環3aを通り抜け、さらに半体の両側にシャックル半体1aが配置される。形成された結合体は円筒状半体5aの間で閉じられる。円筒状半体5aはシャックル半体1aの外面の形状に対応する半円筒状の凹部5bを有し、その内部からシャックル半体1aを形状により係り合わせる。上述のチェーンシャックル１のフランジ構造体1dは、円筒状半体5aの凹部5bに形成された、対応する機械加工体5cに接して支持されるため、ホイストチェーン３の負荷を受け止める。ホイストチェーン３の負荷は、チェーンシャックル１にある第１の空間Ａの溝1bおよびカム1cにも向けられ、その耐荷面領域は従来のピン方式における領域よりもはるかに大きい。
【００１６】
図3aおよび図3bは、ホイストチェーン３の端部が二重チェーン式巻上機20の枠構造体21の底部に固定される状態を示す。この構造では、フックシリンダ23は鎖車24を有し、鎖車24の周囲にホイストチェーン３が巻き付き、ホイストチェーンの他方端を枠構造体21の底部に固定する。この固定を行うために、スリーブ状ロックナット25が配設され、ロックナット25の内部にはチェーンシャックル１の外形に合致するチェーンシャックル１用の空間25aを形成し、シャックル半体1aが相まって配設するようにする。また、ロックナット25の外面にはねじ山25bがあり、ロックナット25に対して支持されるチェーンシャックル１を枠構造体21の対応するねじ山に固定する。ロックナット25はチェーンシャックル１とともに、ホイストチェーン３に向けられる負荷を受け止める。また、ロックナット25は、ロックナット25の周縁フランジ25cのくぼみ25d内で自ら支持する図3cの締付けねじ26を使用して固定係止してもよい。
【００１７】
最後に、図4aおよび図4bは、本発明のチェーンシャックル１が、ホイストチェーン３をその端部から所定の長さ分離れた地点にて、図2a、図2b、図3aおよび図3bに示す巻上機２、20のチェーン収納袋６、22に固定するよう設計されている状態を示す。各シャックル半体1aを協働させるべく、チェーンシャックルの外形に合致する内表面を有するスリーブ７がシャックル半体を包んで配設され、さらに弾性材料からなる別のスリーブ８がスリーブ７の上端に配設され、リミットスイッチを形成し、および／またはホイストチェーン３が巻上機２、20から完全に送り出されてしまうことを防ぐ。
【００１８】
本発明の説明は、発明の基本的な概念を例示することを目的とするにすぎない。しかしながら、当業者であれば、添付した特許請求の範囲内でさまざまな方法によって本発明の細部を実現できるであろう。
【図１ａ】
0006039817.tif 000002
【図１ｂ】
0006039817.tif 000003
【図１ｃ】
0006039817.tif 000004
【図１ｄ】
0006039817.tif 000005
【図１ｅ】
0006039817.tif 000006
【図１ｆ】
0006039817.tif 000007
【図１ｇ】
0006039817.tif 000008
【図２ａ】
0006039817.tif 000009
【図２ｂ】
0006039817.tif 000010
【図３ａ】
0006039817.tif 000011
【図３ｂ】
0006039817.tif 000012
【図３ｃ】
0006039817.tif 000013
【図４ａ】
0006039817.tif 000014
【図４ｂ】
0006039817.tif 000015